(57)【要約】【課題】収納性の高いゴルフバッグを提供すること。【解決手段】ゴルフバッグ１は、ゴルフクラブを収容し、上部にゴルフクラブの出し入れを行うための開口部２を有するクラブ収容部３と、クラブ収容部３の外側面に設けられた、背袋４と、肩掛けバンド５と、クラブ収容部３の開口部２を覆うフード６とを有している。クラブ収容部３は、主たる部分は楕円形の断面を有する筒体であって、その底面７側の端部が一部分、外側に向かって出っ張った形状となっている。また、クラブ収容部３の底面７には、クラブ収容部３に斜めに収容されたゴルフクラブの位置を保持するためのストッパー１１が設けられている。ゴルフクラブ収容の際、クラブセットの中で最も長さの長いウッドの１番９や次に長い３番１０などのグリップ部分をクラブ収容部３の外側に出っ張った部分に差し込むようにして収容する。【選択図】        図１
2005006914.tif 000002
【特許請求の範囲】
【請求項１】
長尺のゴルフクラブをゴルフバッグの高さ方向に対して斜めに差し込んで収容可能としたことを特徴とするゴルフバッグ。
【請求項２】
ゴルフクラブを収容する略筒状の形状であって、その下部側面に孔を有するクラブ収容部と、
前記孔のある前記クラブ収容部下部側面部分に接合し、長尺のゴルフクラブのグリップ側を前記クラブ収容部に対して斜めに差し込んで収容可能とするグリップ収容部と、
を設けたことを特徴とするゴルフバッグ。
【請求項３】
前記グリップ収容部に差し込まれる長尺のゴルフクラブの収容姿勢を保持する保持手段を設けたことを特徴とする請求項２に記載のゴルフバッグ。
【請求項４】
前記クラブ収容部および前記グリップ収容部は有底であり、
前記保持手段として、前記クラブ収容部の底部または前記グリップ収容部の底部に突起を設けたことを特徴とする請求項３に記載のゴルフバッグ。
【請求項５】
前記保持手段として、前記長尺のゴルフクラブのシャフトおよび／またはグリップを支えるガイドを設けたことを特徴とする請求項３に記載のゴルフバッグ。
【請求項６】
前記ガイドを前記クラブ収容部に対して斜めになった状態から斜め上方に移動させつつ直立姿勢まで回動させるスライダを設けたことを特徴とする請求項５に記載のゴルフバッグ。
【請求項７】
長尺のゴルフクラブを収容する略筒状の形状の第一クラブ収容部と、
短尺のゴルフクラブを収容する略筒状の形状の第二クラブ収容部と、
前記第一クラブ収容部と前記第二クラブ収容部とを互いの側面が隣り合った状態で、回動自在に留付ける留付け具と、
を設けたことを特徴とするゴルフバッグ。
【請求項８】
長尺のゴルフクラブを収容する略筒状の形状の第一クラブ収容部と、
短尺のゴルフクラブを収容する略筒状の形状の第二クラブ収容部と、
前記第一クラブ収容部と前記第二クラブ収容部とを互いの側面が隣り合った状態で、所望の角度で脱着自在に留付ける留付け具と、
を設けたことを特徴とするゴルフバッグ。
【発明の詳細な説明】
【０００１】
【発明の属する技術分野】
本発明は、ゴルフバッグに関し、特に収納性の高いゴルフバッグに関する。
【０００２】
【従来の技術】
図８は、従来のゴルフバッグの概略透視図である。従来のゴルフバッグ８１は、ゴルフクラブが収容される円筒形のクラブ収容部８２と、このクラブ収容部８２の側面に設けられた前ポケット８３と、背袋８４と、肩掛けバンド８５と、クラブ収容部８２の開口部８６を覆うフード８７とを有している。さらに、クラブ収容部８２内部の開口部８６側には、ゴルフクラブを収容した際にシャフト同士が絡み合わないための仕切板８８が設けられている。
【０００３】
フード８７を取り付けた状態のゴルフバッグ８８の全長Ｈ２は、一般的に１３０ｃｍ程度である。このような長さになるのは、ゴルフバッグ８１が、クラブセットの中で一番長いウッドの１番（４３インチ〜４８インチ）８９を底面９０に対して略垂直な状態で収容できるように設計されているからである。
【０００４】
【発明が解決しようとする課題】
しかしながら、従来の技術では以下の問題点があった。
すなわち、ゴルフバッグを乗用車のトランクに積み込む際、ゴルフバッグの全長がトランクの幅より長い場合が多々ある。図９は、従来のゴルフバッグを乗用車のトランクに収納する際の模式図である。このように、ゴルフバッグ８１が長い場合は、図９に示したようにゴルフバッグ８１を斜めにしてトランクＴに入れか、あるいはフードをはずして、長さの長いウッドの１番や３番のゴルフクラブをゴルフバッグから出し、ゴルフバッグについてはそのまま真っすぐに収納し、取り出したウッドの１番や３番については斜めにして積み込むのが一般的な方法である。
【０００５】
ところが、図９のようにゴルフバッグ８１自体を斜めにすると、ゴルフバッグ８１を複数入れる際重ねなければならないので、トランクＴ内に２つ程度しか積み込むことができない。また、クラブを取り出して斜めにする場合は、複数の人のゴルフバッグを積み込んだ場合、トランクから降ろす際にどのゴルフクラブが誰のものかわかりにくい。
【０００６】
このような問題は乗用車のトランクに限らず、押入、クローゼット、ロッカーなどの、大きさの限定された空間にゴルフバッグを収納しようとする際にも起こる問題であり、収納性の高いゴルフバッグが望まれていた。
【０００７】
本発明は上記に鑑みてなされたものであって、大きさの決まった空間に対して収納性の高いゴルフバッグを提供することを目的とする。
【０００８】
【課題を解決するための手段】
上記目的を達成するために、請求項１に記載のゴルフバッグは、長尺のゴルフクラブをゴルフバッグの高さ方向に対して斜めに差し込んで収容可能としたことを特徴とする。すなわち請求項１にかかる発明は短尺のゴルフクラブについてはそのままゴルフバッグに差し込め、長尺のゴルフクラブについては斜めに差し込めるため、ゴルフバッグの全長を実質的に短くすることができる。なお、ここでいう高さ方向とはゴルフバックを立てた際の縦方向のことである。
【０００９】
また、ゴルフバッグに収容されるゴルフクラブには様々な長さのクラブがあるが、本発明ではその中でウッドの１番や３番など比較的長さの長いものを長尺のゴルフクラブとし、長さの短いものを短尺のゴルフクラブとする。
【００１０】
また、請求項２に記載のゴルフバッグは、ゴルフクラブを収容する略筒状の形状であって、その下部側面に孔を有するクラブ収容部と、前記孔のある前記クラブ収容部下部側面部分に接合し、長尺のゴルフクラブのグリップ側を前記クラブ収容部に対して斜めに差し込んで収容可能とするグリップ収容部とを設けたことを特徴とする。
【００１１】
すなわち、請求項２にかかる発明は、短尺のゴルフクラブについてはそのままクラブ収容部に差し込め、長尺のゴルフクラブについては斜めに差し込めるため、横幅は従来の前ポケット付ゴルフバックと同程度にしつつ、ゴルフバッグの全長を実質的に短くすることができる。なお、グリップ収容部とクラブ収容部とは別々のものを接合させてもよいし、一体形成されたものでもよい。
【００１２】
また、請求項３に記載のゴルフバッグは、請求項２に記載のゴルフバッグにおいて、前記グリップ収容部に差し込まれる長尺のゴルフクラブの収容姿勢を保持する保持手段を設けたことを特徴とする。すなわち、請求項３にかかる発明は、ゴルフバッグを持ち運ぶ際などの振動によって長尺のゴルフクラブが立ち上がろうとしても、保持手段がこれを防止する。なお、クラブ収容部に設けた孔によりゴルフクラブの姿勢が保持できる場合もあるので、保持手段には孔が含まれてもよいものとする。
【００１３】
また、請求項４に記載のゴルフバッグは、請求項３に記載のゴルフバッグにおいて、前記クラブ収容部および前記グリップ収容部が有底であり、前記保持手段として、前記クラブ収容部の底部または前記グリップ収容部の底部に突起を設けたことを特徴とする。
【００１４】
すなわち、請求項４にかかる発明は、ゴルフバッグを持ち運ぶ際などの振動によって斜めに収容された長尺のゴルフクラブのグリップが移動するのを、突起がストッパーとなって制限する。
【００１５】
また、請求項５に記載のゴルフバッグは、請求項３に記載のゴルフバッグにおいて、前記保持手段として、前記長尺のゴルフクラブのシャフトおよび／またはグリップを支えるガイドを設けたことを特徴とする。すなわち、請求項５にかかる発明は、ガイドが斜めに収容された長尺のゴルフクラブの収容姿勢を保持する。
【００１６】
また、請求項６に記載のゴルフバッグは、請求項５に記載のゴルフバッグにおいて、前記ガイドを前記クラブ収容部に対して斜めになった状態から斜め上方に移動させつつ直立姿勢まで回動させるスライダを設けたことを特徴とする。
【００１７】
すなわち、請求項６にかかる発明は、必要に応じてガイドを斜めにさせたり直立させたりできるので、例えばゴルフバッグの収納時にはガイドを斜めにし、プレー中はガイドを直立させて使用することができる。
【００１８】
また、請求項７に記載のゴルフバッグは、長尺のゴルフクラブを収容する略筒状の形状の第一クラブ収容部と、短尺のゴルフクラブを収容する略筒状の形状の第二クラブ収容部と、前記第一クラブ収容部と前記第二クラブ収容部とを互いの側面が隣り合った状態で、回動自在に留付ける留付け具とを設けたことを特徴とする。
【００１９】
すなわち、請求項７にかかる発明は、第二クラブ収容部の長さを従来のゴルフバッグより短くすることができ、第一クラブ収容部を回動させて、第二クラブ収容部に対して斜めとすることができる。
【００２０】
また、請求項８に記載のゴルフバッグは、長尺のゴルフクラブを収容する略筒状の形状の第一クラブ収容部と、短尺のゴルフクラブを収容する略筒状の形状の第二クラブ収容部と、前記第一クラブ収容部と前記第二クラブ収容部とを互いの側面が隣り合った状態で、所望の角度で脱着自在に留付ける留付け具とを設けたことを特徴とする。
【００２１】
すなわち、請求項８にかかる発明は、第二クラブ収容部の長さを従来のゴルフバッグより短くすることができ、第一クラブ収容部を第二クラブ収容部に対して斜めとすることができる。なお、第一クラブ収容部と第二クラブ収容部とは脱着自在なので、プレー中は第一クラブ収容部を取り外して、すべてのゴルフクラブを第二クラブ収容部入れて使用し、乗用車のトランクなどに収納する際など必要に応じて第一クラブ収容部と第二クラブ収容部とを留付けるようにすることができる。留付け具としては、ボタン、面ファスナー、ファスナーなどを用いればよい。
【００２２】
【発明の実施の形態】
以下、本発明の実施の形態を図面を参照しながら詳細に説明する。
実施の形態１．
図１は、実施の形態１にかかるゴルフバッグ１の概略透視図である。図２は、本実施の形態１のクラブ収容部を開口部側から見た図である。ゴルフバッグ１は、ゴルフクラブを収容し上部にゴルフクラブの出し入れを行うための開口部２を有する有底のクラブ収容部３と、クラブ収容部３の外側面に設けられた、ゴルフシューズなどを収容する背袋４と、肩掛けバンド５と、開口部２を覆うフード６と、底面７とを有している。またクラブ収容部３内部の開口部２付近には、シャフト同士が絡み合うのを防ぐための仕切板８が設けられている。
【００２３】
クラブ収容部３は、主たる部分は横断面が楕円形の筒体であって、その底面７側の端部が一部分外側に向かって出っ張った形状となっている。この出っ張った部分の位置と形状とは、従来のゴルフバッグに設けられていた前ポケットのそれと略同様である。つまり本実施の形態のクラブ収容部３は、断面が楕円形の筒体と、従来のゴルフバッグの側面に設けられた前ポケットの空間とが連結された形状をしている。
【００２４】
ゴルフクラブ収容の際、クラブセットの中で最も長さの長いウッドの１番９と次に長い３番１０のグリップ部分をクラブ収容部３の外側に出っ張った部分に差し込むようにして収容する。これにより、ウッドの１番９と３番１０とは斜めに収容され、ゴルフバッグの全長Ｈ１を従来のゴルフバッグより短くすることができる。
【００２５】
例えば、底面７の幅Ａ（図２参照）が４５ｃｍ〜５０ｃｍであるクラブ収容部３に、ウッドの１番と、３番とを上述したように斜めに傾けて収容すると、従来のゴルフバッグと比較して他の部分の大きさをほとんど変えることなく、ゴルフバッグの長さＨ１のみを、５ｃｍ〜１０ｃｍ程度短くすることができる。
【００２６】
また、クラブ収容部３の底面７には、クラブ収容部３に斜めに収容されたゴルフクラブの位置を保持するための突起状のストッパー１１が設けられている。ストッパー１１を設ける位置は、斜めに収容されたゴルフクラブのグリップ近傍で、グリップよりも底面の中心部側とする。これにより運搬時などの振動によって斜めに収容されたゴルフクラブが底面７に対して垂直になるように立ち上がろうとしてグリップが矢印Ｃ方向に移動しても、ストッパー１１によって止められるので、斜めの収容姿勢が保持される。
【００２７】
また、ウッドの１番や３番以外の比較的長さの短いゴルフクラブについては、従来どおり底部に対して略垂直に収容してもよいし、長さの長いものと同様に斜めに収容してもよい。
【００２８】
図３は、実施の形態１のゴルフバッグを乗用車のトランクに収納する際の模式図である。本実施の形態のゴルフバッグ１であれば、上述したとおりに全長が短くなるので、斜めにすることなくトランクＴに積み込むことができる。したがって、従来のゴルフバッグであれば斜めに重ね合わせて収納せざるを得ない結果２つ程度しか積み込むことができなかったものが、本実施のゴルフバッグでは２つずつ重ねて４つ収納することも可能になる。尚、図示は省略するが収納の仕方によっては、重ねずに例えば背袋を下にして４つ並べて収納することもできる。
【００２９】
また、本発明のゴルフバッグのクラブ収容部３の形状は、上述したものに限定されるものではく、ゴルフクラブを斜めに収容できる空間であればよい。
【００３０】
また、ウッドの１番と３番だけでなく比較的長さの短いゴルフクラブも斜めに収容することによって、クラブ収容部３内部下方に何も収容されていない空間ができる。この空間をゴルフクラブが収容される空間と仕切り、従来の前ポケットの代わりとして用いる構成としてもよい。
【００３１】
また、上述の実施の形態１では、ウッドの１番と３番とを斜めに収容する構成としたが、一番長さの長いウッドの１番だけを斜めに収容する態様であってもよい。
【００３２】
また、図２に示したように、ゴルフクラブのヘッドが上下に重なり合うように収容すれば、ゴルフバッグのＢ方向の厚みを薄くすることができる。これにより、より収納性の高いゴルフバッグを提供することができる。従って、従来重ねて収容できる高さではないトランクにも収容できるようになる。
【００３３】
実施の形態２．
図４は、本実施の形態２のゴルフバッグの概略透視図である。なお、図４に示した構成要素の中で、実施の形態１と同様のものについては、同じ符号をつけて示しているゴルフバッグ１２は、上述した実施の形態１と同様の、クラブ収容部３と、背袋４と、肩掛けバンド５と、フード６と、仕切板８とを有している。
【００３４】
クラブ収容部３内部には、筒状のガイド１３が後述する斜めに収容されるウッドの１番と３番のシャフト部分を支えるため、所定の位置に所定の角度で固定した状態で設けられている。
【００３５】
本実施の形態のクラブ収容部３は、実施の形態１と同様の形状であるので、実施の形態１と同様に、ウッドの１番９と次に長い３番１０とを斜めにして収容することができる。この際、ウッドの１番９と３番１０とは、そのシャフトの一部をガイド１３に貫通させた状態で収容される。
【００３６】
本実施の形態によれば、実施の形態１と同様に長さの長いゴルフクラブを斜めに収容するので、ゴルフバッグ１２の全長を従来のものより短くすることができる。さらに、この収容の際ゴルフクラブをガイド１３に通すので、収容に適した角度と位置が確実に保持される。また、あらかじめガイドが収容に適した角度で設けられているので、使用者はガイドにゴルフクラブを差し込むだけで簡単に長さの長いゴルフクラブの収容を行うことができる。
【００３７】
なお、ガイド１３にスライダを組合わせてクラブ収容部３内で起立できる構成とすれば、プレー中は底面に対して垂直にしておき、車に積み込む際など必要に応じてガイドを斜めにすることもできる。
【００３８】
また、上述した実施の形態では、ひとつのガイドに複数本のゴルフクラブを通す構成としたが、斜めに収容するゴルフクラブの本数分ガイドを設ける構成としてもよい。
【００３９】
また、上述した実施の形態ではガイドとして筒体を設けたが、これに限定されるものではなく、斜めに収容されたゴルフクラブの収容姿勢を保持することができればよい。半円形の樋のようなものでもよいし、ラッパ形状であってもよい。また、グリップ部分が差し込めるような筒を底面部分に設ける構成にしてもよい。
【００４０】
実施の形態３．
図５は、実施の形態３のゴルフバッグの概略透視図である。図５に示したように、本実施の形態のゴルフバッグ１４は、ゴルフクラブを収容し上部にゴルフクラブの出し入れを行うための開口部１５を有する有底のクラブ収容部１６と、クラブ収容部１６の外側面に設けられた、前ポケット１７と、背袋１８と、肩掛けバンド１９と、開口部１５を覆うフード２０と、底面２１とを有している。またクラブ収容部１６内部の開口部１５付近には、シャフト同士が絡み合うのを防ぐための仕切板２２が設けられている。
【００４１】
クラブ収容部１６は、横断面が楕円形の筒体であり、このクラブ収容部１６の前ポケット１７内部と隣り合う側面には、クラブ収容部１６内部と前ポケット１７内部とを貫通する穴２３が設けられている。
【００４２】
ゴルフクラブ収容の際、ウッドの１番９と３番１０のグリップ部分をクラブ収容部１６側から穴２３を通して、前ポケット１７内部に差し込むようにして収容する。このように収容することによって実施の形態１および実施の形態２の場合と同様にウッドの１番９と３番１０とが斜めに収容できるので、ゴルフバッグの全長を従来のゴルフバッグと比べて短くすることができる。
【００４３】
また、上述した実施の形態ではゴルフクラブのグリップ側が従来の前ポケット側に収容される構成としたが、本発明はこれに限定されるものではなく、背袋１８側にクラブ収容部１６と貫通する穴を設ける構成にしてもよい。
【００４４】
また、本実施の形態のゴルフバッグであれば、従来のゴルフバッグの形状を大幅に変えることなくクラブ収容部に穴を開けることによって実現されるので、比較的簡易に作成することができる。
【００４５】
実施の形態４．
図６は本実施の形態のゴルフバッグの概略透視図である。なお、図６（ｂ）は、図６（ａ）に示した、本実施の形態のゴルフバッグを矢印Ｄ方向から見た図である。図６に示したように、本実施の形態のゴルフバッグ２４は、ゴルフクラブを収容し、上部にゴルフクラブの出し入れを行うための開口部２５を有する有底の筒体の第一クラブ収容部２６と、開口部２５を覆う第一クラブ収容部用フード２７と、底面２８と、底部２９とを有している。
【００４６】
第一クラブ収容部２６には、ウッドの１番と３番とが底面２８に対して略垂直な状態で収容される。したがって、第一クラブ収容部用フード２７を取り付けた第一クラブ収容部２６は、従来のゴルフバッグと略同様の全長となる。また、第一クラブ収容部２６および第一クラブ収容部用フード２７は、ウッドの１番と３番を収容できる程度の径を有している。
【００４７】
さらに、本実施の形態のゴルフバッグ２４は、ゴルフクラブを収容し、上部にゴルフクラブの出し入れを行うための開口部３０を有する有底の筒体の第二クラブ収容部３１と、この第二クラブ収容部３１の外側面に設けられた、前ポケット３２と、背袋３３と、肩掛けバンド３４と、開口部３０を覆う第二クラブ収容部用フード３５と、底面３６と、底部３７とを有している。第二クラブ収容部３１内部の開口部３０付近には、シャフト同士が絡み合うのを防ぐための仕切板３８が設けられている。第二クラブ収容部３１には、第一クラブ収容部２６に収容されるウッドの１番および３番以外の比較的長さの短いゴルフクラブが底面３６に対して略垂直な状態で収容される。したがって、第二クラブ収容部用フード３５を取り付けた第二クラブ収容部の全長は、従来のゴルフバッグより短い。
【００４８】
第一クラブ収容部２６と第二クラブ収容部３１とは、その側面同士が隣り合うように設けられており、さらに、第二クラブ収容部３１の側面には第一クラブ収容部２６がビス３９によって所定の角度内で回動自在に留付けられている。
【００４９】
図７は、実施の形態４のゴルフバッグを例えば乗用車のトランクに収納する際の模式図である。まず、１つ目のゴルフバッグ２４を積み込む際、第二クラブ収容部３１の全長は上述したとおり従来のものと比較して短いので斜めにすることなく入れることができる。第一クラブ収容部２６は回動自在に留付けられているので、所望の角度に傾けた状態で収納する。２つ目のゴルフバッグ２４は、１つ目のゴルフバッグ２４をちょうど１８０度回転させた状態で収納する。このとき、第一クラブ収容部２６および第一クラブ収容部用フード２７はウッドの１番と３番が収容できる程度の径しか有さないので、斜めに傾けて収納しても１つ目と２つ目が互いに邪魔しあうことはない。さらにこの上に同様にしてゴルフバッグを積み込めば、トランクＴに４つゴルフバッグを載せることもできる。
【００５０】
なお、上述した実施の形態では、第一クラブ収容部２６がウッドの１番、３番などを収容するように構成したが、第一クラブ収容部２６が一番長さの長いウッドの１番だけを収容する態様であってもよい。
【００５１】
また、上述した実施の形態では、第一クラブ収容部と第二クラブ収容部とをビスによって回動自在に留付ける構成としたが、ビスの代わりに回動自在に留付ける機能に加えてスライダ機能を有する留付け具を用いることによって、第一クラブ収容部を回動させることは勿論のこと、上下左右にスライドさせより収納性をより高くしてもよい。
【００５２】
また、上述した実施の形態では、第一クラブ収容部と第二クラブ収容部とが互いに留付けられた構成としたが、第一クラブ収容部を脱着自在に所望の角度で留付けるように構成することもできる。
【００５３】
また、上述した実施の形態では、第一クラブ収容部と第二クラブ収容部との留付けに用いられるビスが、両クラブ収容部の側面にはさまれた位置に設けられているが、収納の際に邪魔にならないのであれば、留付け具を設ける位置はこれに限定されるものではない。
【００５４】
また、一般的にフードおよびクラブ収容部にはボタン等の留め具が設けられており、この留め具を嵌め合わせることによって互いを固定するようになっている。このフード側についている留め具を、例えば上下２段にする構成とし、長さの長いクラブをクラブ収容部に対して斜めに収容した場合は上段の留め具で固定し、斜めにしない場合は下段の留め具を用いて固定するように構成することができる。このような構成とすれば、クラブの収容の様態にあわせてゴルフバッグの全長を変化させることができる。
【００５５】
【発明の効果】
以上説明したように、本発明のゴルフバッグ（請求項１）は、長尺のゴルフクラブをゴルフバッグの高さ方向に対して斜めに差し込んで収容可能としたので、短尺のゴルフクラブについてはそのままゴルフバッグに差し込め、長尺のゴルフクラブについては斜めにさしこめるため、ゴルフバッグの全長を実質的に短くすることができ、乗用車のトランクのように大きさ決まった空間に対して収納性の高いゴルフバッグを提供することができる。
【００５６】
また、本発明のゴルフバッグ（請求項２）は、ゴルフクラブを収容する略筒状の形状であって、その下部側面に孔を有するクラブ収容部と、前記孔のある前記クラブ収容部下部側面部分に接合し、長尺のゴルフクラブのグリップ側を前記クラブ収容部に対して斜めに差し込んで収容可能とするグリップ収容部とが設けられており、短尺のゴルフクラブについてはそのままクラブ収容部に差し込め、長尺のゴルフクラブについては斜めに差し込めるので、横幅は従来の前ポケット付ゴルフバックと同程度にしつつ、ゴルフバッグの全長を実質的に短くすることができ、乗用車のトランクのように大きさの決まった空間に対して収納性の高いゴルフバッグを提供することができる。
【００５７】
また、本発明のゴルフバッグ（請求項３）は、請求項２に記載のゴルフバッグにおいて、前記グリップ収容部に差し込まれる長尺のゴルフクラブの収容姿勢を保持する保持手段を設けたので、ゴルフバッグを持ち運ぶ際などの振動によって長尺のゴルフクラブが立ち上がろうとしても収容姿勢が保持され、ひいては収納性の高いゴルフバッグを提供することができる。
【００５８】
また、本発明のゴルフバッグ（請求項４）は、請求項３に記載のゴルフバッグにおいて、前記クラブ収容部および前記グリップ収容部が有底であり、前記保持手段として、前記クラブ収容部の底部または前記グリップ収容部の底部に突起を設けたことで、斜めに収容された長尺のゴルフクラブのグリップが移動するのを突起がストッパーとなって制限し、長尺のゴルフクラブの収容姿勢が保持され、ひいては収納性の高いゴルフバックを提供することができる。
【００５９】
また、本発明のゴルフバッグ（請求項５）は、請求項３に記載のゴルフバッグにおいて、前記保持手段として、前記長尺のゴルフクラブのシャフトおよび／またはグリップを支えるガイドを設けたことで、ガイドが斜めに収容された長尺のゴルフクラブの収容姿勢を保持し、ひいては収納性の高いゴルフバッグを提供することができる。
【００６０】
また、本発明のゴルフバッグ（請求項６）は、請求項５に記載のゴルフバッグにおいて、前記ガイドを前記クラブ収容部に対して斜めになった状態から斜め上方に移動させつつ直立姿勢まで回動させるスライダを設けたので、必要に応じてガイドを斜めにしたり直立させたりできるので、使用目的に応じてゴルフクラブの収容姿勢を適切に保持することができしかも収納性の高いゴルフバッグを提供することができる。
【００６１】
また、本発明のゴルフバッグ（請求項７）は、長尺のゴルフクラブを収容する略筒状の形状の第一クラブ収容部と、短尺のゴルフクラブを収容する略筒状の形状の第二クラブ収容部と、前記第一クラブ収容部と前記第二クラブ収容部とを互いの側面が隣り合った状態で、回動自在に留付ける留付け具とが設けられているので、第二クラブ収容部の全長を従来のゴルフバッグより短くすることができ、第一クラブ収容部を回動させて第二クラブ収容部に対して斜めにすることができる。したがって、大きさの決まった空間に対して収納性の高いゴルフバッグを提供することができる。
【００６２】
また、本発明のゴルフバッグ（請求項８）は、長尺のゴルフクラブを収容する略筒状の形状の第一クラブ収容部と、短尺のゴルフクラブを収容する略筒状の形状の第二クラブ収容部と、前記第一クラブ収容部と前記第二クラブ収容部とを互いの側面が隣り合った状態で、所望の角度で脱着自在に留付ける留付け具とが設けられているので、第二クラブ収容部の全長を従来のゴルフバッグより短くすることができ、第一クラブ収容部を第二クラブ収容部に対して斜めにすることができる。したがって、大きさの決まった空間に対して収納性の高いゴルフバッグを提供することができる。
【図面の簡単な説明】
【図１】実施の形態１にかかるゴルフバッグの外観図である。
【図２】実施の形態１にかかるクラブ収容部を開口部側から見た図である。
【図３】実施の形態１にかかるゴルフバッグを乗用車のトランクに収納する際の模式図である。
【図４】実施の形態２にかかるゴルフバッグの概略透視図である。
【図５】実施の形態３にかかるゴルフバッグの概略透視図である。
【図６】実施の形態４にかかるゴルフバッグの概略透視図である。
【図７】実施の形態４にかかるゴルフバッグを乗用車のトランクに収納する際の模式図である。
【図８】従来のゴルフバッグの概略透視図である。
【図９】従来のゴルフバッグを乗用車のトランクに収納する際の模式図である。
【符号の説明】
１、１２、１４、２４  ゴルフバッグ
３、１６                クラブ収容部
６、２０              フード
１１                  ストッパー
１３                  ガイド
１７、３２            前ポケット
２６                  第一クラブ収容部
２７                  第一クラブ収容部用フード
３１                  第二クラブ収容部
３５                  第二クラブ収容部用フード
【図１】
2005006914.tif 000003
【図２】
2005006914.tif 000004
【図３】
2005006914.tif 000005
【図４】
2005006914.tif 000006
【図５】
2005006914.tif 000007
【図６】
2005006914.tif 000008
【図７】
2005006914.tif 000009
【図８】
2005006914.tif 000010
【図９】
2005006914.tif 000011